(57)【要約】【課題】ハンドル部材及びシャッター部材を現像剤容器本体に係合してロックさせる現像剤補給容器において、各々のロックの解除のタイミング調整を容易とし、本体のコンパクト化を助け、且つ、操作性に優れた現像剤補給容器を提供すること。【解決手段】ハンドル部材及びシャッター部材は各々独立して現像剤補給容器本体にロックされており、現像剤補給容器を画像形成装置本体に装着する際に、前記画像形成装置本体に設けられたシャッターロック解除部と、前記シャッター部材に設けられたシャッターロック解除部とが干渉し、シャッター部材のロックが解除される。前記解除動作に連動して、前記シャッターロック部に設けられた、ハンドルロック解除部がハンドルに設けられたハンドルロック解除部を押すことでハンドル部材のロックが解除される構成とする。【選択図】図１
2007086622.tif 000002
【特許請求の範囲】
【請求項１】
画像形成装置本体に着脱自在に装着され、内部に現像剤を収納し、前記画像形成装置本体に前記現像剤を供給する現像剤補給容器であって、前記現像剤補給容器は、前記現像剤を排出する開口部と、前記開口部を開閉自在に封止するシャッター部材と、前記画像形成装置本体に設けられた駆動力伝達部材を介して、前記シャッター部材を開閉するためのハンドル部材とを有し、前記シャッター部材は、現像剤補給容器が画像形成装置本体に非装着の時には、開封方向への移動不可にロックされるシャッターロック部を有し、且つ、前記ハンドル部材は、現像剤補給容器が画像形成装置本体に非装着の時には、開封方向への移動不可にロックされるハンドルロック部を有し、前記シャッター部材と前記ハンドル部材は、それぞれ独立して前記現像剤補給容器に対して前記シャッターロック部及び前記ハンドルロック部によってロックされており、前記シャッター部材は前記画像形成装置本体に装着された際には、装着方向と平行な方向には実質的に動くことなく、前記シャッターロック部が装着動作に伴い前記装着方向と逆方向に変位し、前記シャッターロック部には、前記シャッターロック部の変位に伴い、ハンドルロック部のロックを解除する、ハンドルロック解除部を有することを特徴とする現像剤補給容器。
【請求項２】
前記シャッターロック部はバネ状部材であることを特徴とする請求項１記載の現像剤補給容器。
【請求項３】
前記シャッターロック部は、前記シャッター部材と一体的に設けられたことを特徴とする請求項１記載の現像剤補給容器。
【請求項４】
前記シャッターロック部と前記ハンドルロック解除部は、前記シャッター部材に一体的に設けられたことを特徴とする請求項１記載の現像剤補給容器。
【請求項５】
前記ハンドルロック部は、バネ状部材であることを特徴とする請求項１記載の現像剤補給容器。
【請求項６】
前記ハンドルロック部は、前記ハンドル部材と一体的に設けられたことを特徴とする請求項１記載の現像剤補給容器。
【請求項７】
前記シャッターロック部が解除された後に前記ハンドルロック部が解除されることを特徴とする請求項１記載の現像剤補給容器。
【発明の詳細な説明】
【技術分野】
【０００１】
本発明は、複写機やプリンタ等の電子写真画像形成装置に据え置かれて現像剤を補給する現像剤容器に関する。
【背景技術】
【０００２】
従来の現像剤補給容器には、現像剤を画像形成装置に供給するための排出開口をシャッター部材にて封止するものが多く市場に投入されている。又、シャッター部材を開閉するために、ハンドル部材を設けたものがある（特許文献１〜３参照）。
【０００３】
又、ユーザー先で画像形成装置に装着前に誤ってシャッターが開いてしまうのを防ぐために、シャッター部材を現像剤補給容器にロックする構成のものがある（特許文献１及び３参照）。更には、ユーザー先で画像形成装置本体に装着前にハンドル部材が回ってしまわないように回動を規制する構成のものがある（特許文献２及び３参照）。
【０００４】
従来の現像剤補給容器について説明する。図６〜図８は従来の現像剤補給容器の斜視図である。
【０００５】
図６〜図８に示すように、画像形成装置本体内に装着される現像剤補給容器は、本体にそのまま据え置かれて使用される据え置き型（ビルトイン）の現像剤補給容器１である。現像剤補給容器１は、内部に収納している現像剤を使い切るまで、画像形成装置の現像部へ現像剤を供給する。
【０００６】
現像剤補給容器１は、排出開口部を封止するためのシャッター部材３を備えており、前記シャッター部材３を開閉するためのハンドル部材２を備えている。
【０００７】
シャッター部材３の開封方向へのロック構成としては、図９に示すように、現像剤補給容器１の画像形成装置本体への挿入方向に対して、前記シャッター部材３が移動可能に設けられ、装着前はシャッター部材３が前記装着方向に予め移動し、開封方向への移動が規制される。ロックの解除としては、装着動作に連動し、画像形成装置本体内に設けられたロック解除部とシャッター部材３が干渉することで、シャッター部材３が装着方向とは逆方向に移動しロックが解除される（特許文献１参照）。
【０００８】
ハンドル部材２のロック構成としては、図１０に示すように、現像剤補給容器本体１に設けた突起部１ｅと、ハンドル部材２に設けたハンドルロック部２ｂとが係合することで、前記現像剤補給容器１の装着前のロックを達成している。ロックの解除としては、画像形成装置本体内に設けられたロック解除部とハンドルロック解除受け部２ｃが干渉することで、ハンドルロック部２ｂが装着方向とは逆方向に変位しロックが解除される（特許文献２参照）。
【０００９】
又、近年の画像形成装置本体のコンパクト化に対応して、図１１に示すように、シャッター部材３のロックとハンドル部材２のロックをそれぞれ独立して行うのではなくハンドル部材２とシャッター部材３とを係合させてロックを行う構成もある。ロックの解除としては、装着動作に連動してシャッター部材が装着方向と逆方向に移動することで、ハンドル部材２との係合が解除されロックが解除される（特許文献３参照）。
【００１０】
シャッター部材の開閉方法については、何れの現像剤補給容器においても画像形成装置本体に装着されてハンドル部材及びシャッター部材に設けられた駆動力伝達部と画像形成装置本体内に設けられた駆動力伝達部とがそれぞれ係合し、ハンドル部材を回動することで本体内に設けられた駆動力伝達部を介してシャッター部材が開閉する構成を採っている（特許文献１〜３参照）。
【００１１】
上記特許文献１〜３に記載の構成の現像剤補給容器においては、何れもシャッター部材が装着方向と逆方に移動するため、現像剤補給容器に設けられたシャッターガイド部とシャッター部材との間で、装着方向に平行な方向に対して移動可能な量のガタが必ず必要となる。そのため、シャッター部材の開閉方向に対してシャッター部材が斜めに傾く、所謂ヨーイングを起こし易くなる。このヨーイングを起こした場合にはシャッター部材とガイド部との摺動性が悪化し、シャッター部材のスムーズな開閉が妨げられる危険性がある。シャッター部材のスムーズな開閉が妨げられた場合には、ハンドル部材の回動強度が上がってしまうという影響があり、ユーザーの操作性が悪化する可能性がある。
【００１２】
これを防止するために、現像剤補給容器のシャッター部材と係合する画像形成装置本体内に設けられたシャッター部材の摺動部のガタを詰めるといった対策が必要となる。又、現像剤補給容器側のシャッター部材のロックを装着方向に移動させて行うのではなく、シャッター部材にロック部を設けて現像剤容器本体の別の場所にロック係合部を設けて行うといったことも考えられる。
【特許文献１】特許第３４５０７５７号公報（図５４）
【特許文献２】特開２００３−３１６１３８号公報（図６）
【特許文献３】特開２００４−１０１７８９号公報（図２、図１１）
【発明の開示】
【発明が解決しようとする課題】
【００１３】
しかしながら、画像形成装置本体内に設けられたシャッター部材の摺動部のガタツキを抑える対策は、一方で摺動性を悪化させることにも繋がり、折角現像剤補給容器のシャッター部材のヨーイングを抑えても、本体側のシャッター部材の摺動性が悪化することでハンドル部材の回動強度が思ったよりも低下することが見込めない場合がある。
【００１４】
又、ヨーイング防止のためにシャッター部材のロック方法を変更した場合に、ロック解除のために本体内に新たにロック解除部を設けなければならず、ハンドル部材のロック機構とシャッター部材のロック機構を設けるといったことが必要となってくる。そのため、本体のコンパクト化の弊害となってしまう。
【００１５】
更には、独立したロック解除の構成を採った場合には、それぞれのロックの解除のタイミングを合せるために関係する部材の寸法精度や組立精度を上げなければならず、コストアップの要因ともなってしまう。独立してロックを設けないような特許文献３に記載の手段によって、ロック解除部を１つにした場合でも、ヨーイング以外の弊害としてはロック部分の強度調整が必要となってしまう。
【００１６】
そこで、本発明の目的は、ハンドル部材及びシャッター部材を現像剤容器本体に係合してロックさせる現像剤補給容器において、各々のロックの解除のタイミング調整を容易とし、本体のコンパクト化を助け、且つ、操作性に優れた現像剤補給容器を提供することにある。
【課題を解決するための手段】
【００１７】
前記目的を達成するための本発明に係る代表的な構成は、画像形成装置本体に着脱自在に装着され、内部に現像剤を収納し、前記画像形成装置本体に前記現像剤を供給する現像剤補給容器であって、前記現像剤補給容器は、前記現像剤を排出する開口部と、前記開口部を開閉自在に封止するシャッター部材と、前記画像形成装置本体に設けられた駆動力伝達部材を介して、前記シャッター部材を開閉するためのハンドル部材とを有し、前記シャッター部材は、現像剤補給容器が画像形成装置本体に非装着の時には、開封方向への移動不可にロックされるシャッターロック部を有し、且つ、前記ハンドル部材は、現像剤補給容器が画像形成装置本体に非装着の時には、開封方向への移動不可にロックされるハンドルロック部を有し、前記シャッター部材と前記ハンドル部材は、それぞれ独立して前記現像剤補給容器に対して前記シャッターロック部及び前記ハンドルロック部によってロックされており、前記シャッター部材は前記画像形成装置本体に装着された際には、装着方向と平行な方向には実質的に動くことなく、前記シャッターロック部が装着動作に伴い前記装着方向と逆方向に変位し、前記シャッターロック部には、前記シャッターロック部の変位に伴い、ハンドルロック部のロックを解除する、ハンドルロック解除部を有することを特徴とする。
【００１８】
本発明に係る第２の構成は、前記シャッターロック部はバネ状部材であることを特徴とする。
【００１９】
本発明に係る第３の構成は、前記シャッターロック部は前記シャッター部材と一体的に設けられたことを特徴とする。
【００２０】
本発明に係る第４の構成は、前記シャッターロック部と前記ハンドルロック解除部は、前記シャッター部材に一体的に設けられたことを特徴とする。
【００２１】
本発明に係る第５の構成は、前記ハンドルロック部はバネ状部材であることを特徴とする。
【００２２】
本発明に係る第６の構成は、前記ハンドルロック部は前記ハンドル部材と一体的に設けられたことを特徴とする。
【００２３】
本発明に係る第７の構成は、前記シャッターロック部が解除された後に前記ハンドルロック部が解除されることを特徴とする。
【発明の効果】
【００２４】
本発明によれば、装着方向と逆方向にシャッター部材が移動可能な場合に生じるガタによって発生するシャッター部材の開閉方向に対するヨーイングが発生せずに、ハンドル部材の操作性が安定する。又、ハンドル部材とシャッター部材のロック部を個別にロック解除する場合に比べて解除のタイミングの制御が容易であり、且つ、画像形成装置本体に設けるロック解除部が少なくて済み、画像形成装置本体のコンパクト化にも寄与できる。
【００２５】
本発明に係る第２及び第５の構成によれば、現像剤補給容器を画像形成装置本体に装着する際に、解除に要する力が低減でき、ユーザーの操作性が向上する。
【００２６】
本発明に係る第３、第４及び第６の構成によれば、一体的に設けることで低コストの部材を提供できる。
【００２７】
本発明に係る第７の構成によれば、ユーザーが現像剤補給容器を画像形成装置本体に挿入する際に、シャッター部材のロックが解除される前に、ハンドル部材のロックが解除されて、ハンドル部材のみが回せて、シャッター部材が開いていないという状態を防ぐことができる。
【発明を実施するための最良の形態】
【００２８】
以下に本発明の実施の形態を添付図面に基づいて説明する。
【００２９】
本実施に係る現像剤補給容器１は、画像形成装置本体内の現像剤補給装置１０内に装着される。現像剤補給容器１は、そのまま据え置かれる所謂据え置き型（ビルトイン）のものであって、収納している現像剤を使い切るまで徐々に現像部へ現像剤を供給するものである。
【００３０】
図１及び図２は現像剤補給容器１の斜視図、図３は図２におけるシャッター部材３とハンドル部材２のロック部の部分拡大図、図４は現像剤補給装置（部分斜視図）に現像剤補給容器１をセットした図、図５はシャッター部材３及びハンドル部材２のロック解除を示す図である。
（現像剤補給容器の構成）
図１〜図３を用いて現像剤補給容器１の構成を説明する。
【００３１】
現像剤補給容器１は、現像剤を収容する容器本体１ａと、容器本体１ａに空けられた排出開口４を塞ぐシャッター部材３と、容器本体１ａに係合して、画像形成装置本体に装着された際に、画像形成装置本体内に設けられた駆動力伝達部材１１，１２を介してシャッター部材３を開閉するためのハンドル部材２と、を有する。
【００３２】
シャッター部材３及びハンドル部材２は、図１及び図２に示すように、それぞれシャッターロック部３ｂ及びハンドルロック部２ｂを有し、各部材はそれぞれが独立して容器本体１ａに設けられたロック部１ｄ，１ｅと係合することでロックされている。
【００３３】
シャッター部材３にはロック部３ｂ及びハンドルロック解除部３ｃが設けられ、ハンドル部材２にはロック部２ｂ及びシャッター部材３に設けられたハンドルロック解除部３ｄと干渉するハンドルロック解除受け部２ｃを有する。
【００３４】
シャッター部材３は、容器本体１ａに設けられたガイドレール１ｃに挿入され、開閉方向に移動可能となっており、装着方向に実質的に移動しない状態に組み付けられている。この構成により、シャッター部材３の開閉時の回動方向に対するヨーイングが防止できる。
（シャッター部材及びハンドル部材のロック解除の構成）
シャッター部材３及びハンドル部材２のロック解除について説明する。
【００３５】
図５に示すように、現像剤補給容器１を画像形成装置本体１０に挿入すると、装置本体内に設けられたシャッターロック解除部１４とシャッターロック解除部３ｃが干渉し、シャッターロック部３ｂが挿入方向とは逆方向に変位する。更に、シャッターロック部３ｂに設けられたハンドルロック解除部３ｄも前記変位に伴い変位する。そして、前記ハンドルロック解除部３ｄが、ハンドル部材２に設けられたハンドルロック部３ｂのハンドルロック解除受け部２ｃを押すことで、ハンドル部材２のロックが解除される。好ましい解除のタイミングとしては、初めにシャッター部材３のロックが解除され、次にハンドル部材２のロックが解除されるというタイミングである。このようなタイミングにすることで、ユーザーが現像剤補給容器１を画像形成装置本体１０に挿入する際に、シャッター部材３のロックが解除される前に、ハンドル部材２のロックが解除されて、ハンドル部材２のみが回せて、シャッター部材３が開いていないという状態を防ぐことができるので確実にシャッター部材３を開閉できる。
（従来構成との比較）
先ず、シャッター部材３のロック構成についてであるが、従来の構成においては、例えば図１１に示すように、シャッター部材３を挿入方向と反対方向に移動可能に設けることで、挿入前のロックを達成している（図１１の構成においては移動量を１．５ｍｍとしている）。シャッター部材３には駆動力受け部（ギア部）３ａが設けられているが、このギア部３ａがシャッター部材３の片側に寄っているために、本体側の駆動力伝達部１２のギアの反力により、移動量分開閉方向に対して斜めに傾き易くなる。この状態でハンドル部材２を回動させようとすると、操作力が急激に上昇して操作性が悪化する。通常２０〜３０Ｎの操作力のところが、シャッター部材３の傾き具合によっては１００Ｎ程度まで上昇する場合がある。
【００３６】
一方、本発明の実施の形態におけるシャッター部材３は、現像剤補給容器の挿入方向に対して、実質的に動くことのないように設けられているため、駆動力伝達部１２の反力によっても、ガイドレール１ｃに対して傾くことなく、シャッター部材３の開閉方向にスムーズに移動できる。
【００３７】
次に、ロック解除のタイミングについてであるが、例えば図１０に示すように、シャッター部材３とハンドル部材２がそれぞれ独立して、現像剤補給容器にロックされている場合、画像形成装置本体側でも、それぞれの部材のロックを解除するために、ロック解除部が必要となってくる。従来、それぞれのロックの解除タイミングは、先ずシャッター部材３のロックが解除された後に、ハンドル部材２のロックが解除されるが、独立してロックされている場合、シャッター部材３と本体側のロック解除部の位置関係、ハンドル部材２と本体側のロック解除部との位置関係は勿論のこと、現像剤補給容器本体１を介してシャッター部材３とハンドル部材２の位置関係も厳しく規定する必要がある。そのため、各部材の寸法公差等を厳しく規定する必要が生じる。
【００３８】
一方、本発明の実施の形態の構成においては、本体側のロック解除部が１つであるため、本体側との位置関係において、シャッター部材３と本体側のロック解除部との位置関係のみを厳しく規定するだけで良くなる。そのため、ロック解除のタイミング調整が容易となる。
【００３９】
更に、従来の構成においては、シャッター部材３とハンドル部材２のロック解除のために、それぞれのロック部に対応してロック解除部を個別に、画像形成装置本体側に設ける必要があった。
【００４０】
しかしながら、本発明の実施の形態の構成においては、ロック解除部が１つで済むため、画像形成装置本体を従来の構成に比べて小さくすることが可能となる。
【００４１】
以上説明してきたように、本実施形態のごとく構成することで本体内に設けるロック解除部が１つで済み、操作性も良く、コンパクトな構成を可能とする。
【図面の簡単な説明】
【００４２】
【図１】本発明の実施形態の現像剤補給容器の斜視図である。
【図２】本発明の実施形態の現像剤補給容器の斜視図である。
【図３】本発明の実施形態の現像剤補給容器の部分斜視図である。
【図４】本発明の実施形態の画像形成装置本体（部分）及び現像剤補給容器のセット状態を示す図である。
【図５】ハンドル部材及びシャッター部材のロック解除説明図である。
【図６】従来の現像剤補給容器の斜視図である。
【図７】従来の現像剤補給容器の斜視図である。
【図８】従来の現像剤補給容器の斜視図である。
【図９】従来の現像剤補給容器の部分斜視図（シャッター部）である。
【図１０】従来の現像剤補給容器の部分斜視図（ハンドル部）である。
【図１１】従来の現像剤補給容器の部分斜視図（ハンドル部及びシャッター部）であり、（ａ）はロック状態、（ｂ）はロック解除状態を示す。
【符号の説明】
【００４３】
１    現像剤補給容器
１ａ  容器本体
１ｂ  フランジ
１ｃ  ガイドレール
１ｄ  シャッターロック突起
１ｅ  ハンドルロック突起
２    ハンドル部材
２ａ  駆動力伝達部（ギア部）
２ｂ  ハンドルロック部
２ｂ１  シャッターロック部
２ｃ  ハンドルロック解除受け部
３    シャッター部材
３ａ  駆動力受け部（ギア部）
３ｂ  シャッターロック部
３ｂ１  シャッターロック部
３ｂ２  ハンドルロック部
３ｃ  シャッターロック解除部
４    排出開口
５    シール部材
６    撹拌部材（カップリング）
１０  現像剤補給装置（部分）
１１  駆動力伝達部
１２  駆動力伝達部
１３  シャッター部材
１４  シャッターロック解除部
【図１】
2007086622.tif 000003
【図２】
2007086622.tif 000004
【図３】
2007086622.tif 000005
【図４】
2007086622.tif 000006
【図５】
2007086622.tif 000007
【図６】
2007086622.tif 000008
【図７】
2007086622.tif 000009
【図８】
2007086622.tif 000010
【図９】
2007086622.tif 000011
【図１０】
2007086622.tif 000012
【図１１】
2007086622.tif 000013